(57)【要約】【課題】トイレットペーパの先端をＶ字状に切断するための切断刃が、トイレットペーパロールを痛めてしまうことを防止し、スライド自在の切断刃をカバーに対して適切に固定し、綺麗なＶ字状に切断できるようにする。【解決手段】トイレットペーパロールＲを支持するホルダ本体１０と、トイレットペーパロールＲの上部を覆うカバー２０と、カバー２０の前端部に設けられたＶ字状の切断刃３２とを備え、切断刃３２は、カバー２０を構成するカバー本体２１とその下方に設けられた保護カバー２２との間の空間にスライド自在に収容されるトイレットペーパホルダ１とした。切断刃３２は、その幅方向両端にそれぞれ前後方向に伸びる軸状のガイド部材３３を備え、ガイド部材３３がカバー２０に設けたガイド筒２３内にスライド自在に収容されて前後方向へのスライドが案内される。【選択図】図１
2015173805.tif 000002
【特許請求の範囲】
【請求項１】
ロール状に巻回されたトイレットペーパロールを回転自在に支持するホルダ本体と、前記ホルダ本体に取り付けられ前記トイレットペーパロールの上部を覆うカバーと、前記カバーの前端部に設けられた切断刃とを備え、前記切断刃は、前記トイレットペーパロールの幅方向に対して中央部が端部よりも前方に突出するＶ字状であり、
前記カバーは、カバー本体とそのカバー本体に沿って下方に設けられた保護カバーとを備え、前記切断刃は、前記カバーと前記保護カバーとの間の空間に収容されて、その空間内で前記カバーに対して前後方向にスライド自在であることを特徴とするトイレットペーパホルダ。
【請求項２】
ロール状に巻回されたトイレットペーパロールを回転自在に支持するホルダ本体と、前記ホルダ本体に取り付けられ前記トイレットペーパロールの上部を覆うカバーと、前記カバーの前端部に設けられた切断刃とを備え、前記切断刃は、前記トイレットペーパロールの幅方向に対して中央部が端部よりも前方に突出するＶ字状であり、
前記切断刃は、その幅方向両端にそれぞれ前後方向に伸びる軸状のガイド部材を備え、前記ガイド部材が前記カバーに設けたガイド筒内にスライド自在に収容されて、前記切断刃は、前記カバーに対して前後方向にスライド自在であることを特徴とするトイレットパーパホルダ。
【請求項３】
前記カバーは、カバー本体とそのカバー本体に沿って下方に設けられた保護カバーとを備え、前記切断刃は、前記カバーと前記保護カバーとの間の空間に収容されて、その空間内で前記カバーに対して前後方向にスライド自在であり、前記ガイド筒は、前記カバー及び前記保護カバーとの間に備えられることを特徴とする請求項２に記載のトイレットペーパホルダ。
【請求項４】
前記切断刃を後方へ付勢する弾性部材を、前記ホルダ本体又は前記カバーと、前記切断刃との間に備えたことを特徴とする請求項１から３のいずれか一つに記載のトイレットペーパホルダ。
【請求項５】
前記切断刃を後方へ付勢する弾性部材を、前記ホルダ本体又は前記カバーと、前記切断刃との間に備え、前記弾性部材は前記ガイド筒内に備えられ、その弾性部材の前端が、前記ガイド部材の後端に接続されることを特徴とする請求項２又は３に記載のトイレットペーパホルダ。
【請求項６】
前記切断刃に、その切断刃を前後方向へスライドさせる際に把持可能な操作部を設け、前記操作部を前記カバーの上方へ突出させたことを特徴とする請求項１から５のいずれか一つに記載のトイレットペーパホルダ。
【請求項７】
前記操作部は、前記トイレットペーパロールの幅方向に対して中央部が端部よりも前方に突出するＶ字状であることを特徴とする請求項６に記載のトイレットペーパホルダ。
【請求項８】
前記ホルダ本体又は前記カバーの一方に長孔を備え、他方には前記長孔内をその長孔の伸びる方向に沿って移動自在のピンを備え、前記トイレットペーパロールの外径の減少に合わせて前記ピンが前記長孔内を移動することにより、前記カバーの位置が前方から後方へ移動することを特徴とする請求項１から７のいずれか一つに記載のトイレットペーパホルダ。
【請求項９】
ロール状に巻回されたトイレットペーパロールを回転自在に支持するホルダ本体と、前記ホルダ本体に取り付けられ前記トイレットペーパロールの上部を覆うカバーを備え、
前記ホルダ本体又は前記カバーの一方に長孔を備え、他方には前記長孔内をその長孔の伸びる方向に沿って移動自在のピンを備え、前記トイレットペーパロールの外径の減少に合わせて前記ピンが前記長孔内を移動することにより、前記カバーの位置が前方から後方へ移動することを特徴とするトイレットペーパホルダ。
【発明の詳細な説明】
【技術分野】
【０００１】
この発明は、トイレットペーパホルダ、及び、そのトイレットペーパホルダに使用されるトイレットペーパ用切断装置に関するものである。
【背景技術】
【０００２】
トイレには、ロール状のトイレットペーパ（以下、「トイレットペーパロール」と称する。）を保持するために、各種のトイレットペーパホルダが取り付けられる。また、そのトイレットペーパホルダには、トイレットペーパ用切断装置が取り付けられる。
【０００３】
トイレットペーパ用切断装置でトイレットペーパを切断する際、通常は、トイレットペーパを構成する帯状の紙は、その幅方向に沿って直線状に切断される。このとき、その切断後のトイレットペーパの先端を、幅方向中央部が幅方向端部よりも手前に突出するようＶ字状に折り曲げて、切断部の外観を美しくする手法がよく見られる。
【０００４】
また、特許文献１、２には、トイレットペーパの先端をＶ字状に切断するトイレットペーパ用切断装置の技術も開示されている。
【先行技術文献】
【特許文献】
【０００５】
【特許文献１】特開２００５−２５３７６２号公報
【特許文献２】特開平８−８４６８６号公報
【発明の概要】
【発明が解決しようとする課題】
【０００６】
上記特許文献１、２の技術によれば、トイレットペーパの先端をＶ字状に切断するために、トイレットペーパホルダのカバーに、Ｖ字状の切断刃が取り付けられている。この切断刃は、その先端が鋭利に尖っていることから、特許文献２のように、切断刃を、カバーに対してスライド自在とすることが安全上好ましい。また、トイレットペーパを切断した後、切断刃がカバーに対してスライドして後退すれば、トイレットペーパの切れ目がカバーによって隠れることがない。このため、次に利用する人が、トイレットペーパの端部をさらに見つけやすくなる。
【０００７】
しかし、切断刃がカバーに対してスライドすると、その切断刃がトイレットペーパロールの外周面に触れて、トイレットペーパを痛めてしまう場合がある。また、スライド自在の切断刃がカバーに対してしっかりと固定されていないと、トイレットペーパを切断する際に、綺麗なＶ字状に切断できない場合もある。
【０００８】
さらに、トイレットペーパホルダのカバーと切断刃とを併用する上記トイレットペーパホルダの場合、あるいは、トイレットペーパホルダのカバーの前端でトイレットペーパを切断する一般的なトイレットペーパホルダの場合、いずれの場合においても、使用によってトイレットペーパロールの径が減少すると、カバーや切断刃の位置とトイレットペーパの紙の位置とがずれてしまう。このため、トイレットペーパロールの径によっては、トイレットペーパを綺麗に切断できない場合も起こり得る。
【０００９】
そこで、この発明は、トイレットペーパの先端をＶ字状に切断するための切断刃が、トイレットペーパロールを痛めてしまうことを防止することを第一の課題とし、スライド自在の切断刃をカバーに対して適切に固定し、綺麗なＶ字状に切断できるようにすることを第二の課題とし、さらに、トイレットペーパロールの径の大小にかかわらす、トイレットペーパを常に綺麗に切断することを第三の課題とする。
【課題を解決するための手段】
【００１０】
上記の第一の課題を解決するために、この発明は、ロール状に巻回されたトイレットペーパロールを回転自在に支持するホルダ本体と、前記ホルダ本体に取り付けられ前記トイレットペーパロールの上部を覆うカバーと、前記カバーの前端部に設けられた切断刃とを備え、前記切断刃は、前記トイレットペーパロールの幅方向に対して中央部が端部よりも前方に突出するＶ字状であり、前記カバーは、カバー本体とそのカバー本体に沿って下方に設けられた保護カバーとを備え、前記切断刃は、前記カバーと前記保護カバーとの間の空間に収容されて、その空間内で前記カバーに対して前後方向にスライド自在であることを特徴とするトイレットペーパホルダを採用した。
【００１１】
つぎに、上記の第二の課題を解決するために、この発明は、ロール状に巻回されたトイレットペーパロールを回転自在に支持するホルダ本体と、前記ホルダ本体に取り付けられ前記トイレットペーパロールの上部を覆うカバーと、前記カバーの前端部に設けられた切断刃とを備え、前記切断刃は、前記トイレットペーパロールの幅方向に対して中央部が端部よりも前方に突出するＶ字状であり、前記切断刃は、その幅方向両端にそれぞれ前後方向に伸びる軸状のガイド部材を備え、前記ガイド部材が前記カバーに設けたガイド筒内にスライド自在に収容されて、前記切断刃は、前記カバーに対して前後方向にスライド自在であることを特徴とするトイレットパーパホルダを採用した。
【００１２】
上記第一の課題を解決するための手段と、上記第二の課題を解決するための手段とは、両者を併用することもできる。
すなわち、ガイド部材とガイド筒とを備えた上記の構成において、前記カバーは、カバー本体とそのカバー本体に沿って下方に設けられた保護カバーとを備え、前記切断刃は、前記カバーと前記保護カバーとの間の空間に収容されて、その空間内で前記カバーに対して前後方向にスライド自在である構成を採用することができる。このとき、前記ガイド筒は、前記カバー及び前記保護カバーとの間に備えられる。
【００１３】
これらの各構成において、前記切断刃を後方へ付勢する弾性部材を、前記ホルダ本体又は前記カバーと、前記切断刃との間に備えた構成を採用することができる。
【００１４】
また、ガイド部材とガイド筒とを備えた構成においては、この弾性部材は、前記ガイド筒内に備えられ、その弾性部材の前端が、前記ガイド部材の後端に接続される構成を採用することができる。
【００１５】
これらの各構成において、前記切断刃に、その切断刃を前後方向へスライドさせる際に把持可能な操作部を設け、前記操作部を前記カバーの上方へ突出させた構成を採用することができる。
【００１６】
前記操作部は、前記トイレットペーパロールの幅方向に対して中央部が端部よりも前方に突出するＶ字状である構成を採用することができる。
【００１７】
さらに、上記の第三の課題を解決するために、この発明は、上記の各構成において、前記ホルダ本体又は前記カバーの一方に長孔を備え、他方には前記長孔内をその長孔の伸びる方向に沿って移動自在のピンを備え、前記トイレットペーパロールの外径の減少に合わせて前記ピンが前記長孔内を移動することにより、前記カバーの位置が前方から後方へ移動する構成を採用することができる。
【００１８】
この長孔とピンとを用いたカバー位置調整の構成は、上述の第一の課題を解決するための手段、第二の課題を解決するための手段の各構成と併用することもできるし、また、上述の各構成とは別に、上記の第三の課題を解決するための手段として、この構成のみ備えた態様も採用可能である。
【００１９】
すなわち、上記の第三の課題を解決するために、この発明は、ロール状に巻回されたトイレットペーパロールを回転自在に支持するホルダ本体と、前記ホルダ本体に取り付けられ前記トイレットペーパロールの上部を覆うカバーとを備え、前記ホルダ本体又は前記カバーの一方に長孔を備え、他方には前記長孔内をその長孔の伸びる方向に沿って移動自在のピンを備え、前記トイレットペーパロールの外径の減少に合わせて前記ピンが前記長孔内を移動することにより、前記カバーの位置が前方から後方へ移動することを特徴とするトイレットペーパホルダを採用することができる。ここで、トイレットペーパロールの上部を覆う前記カバーに、そのカバーの前後方向に対してスライド自在の上記各構成のいずれかからなる切断刃を設けてもよい。
【発明の効果】
【００２０】
この発明は、トイレットペーパホルダに取り付けられるカバーが、カバー本体とそのカバー本体に沿って下方に設けられた保護カバーとを備え、切断刃を、カバー本体と保護カバーとの間の空間内でスライド自在としたので、切断刃がトイレットペーパロールを痛めてしまうことを防止できる。
【００２１】
また、切断刃が、その幅方向両端にそれぞれ前後方向に伸びる軸状のガイド部材を備え、ガイド部材を、カバーに設けたガイド筒内にスライド自在に収容したので、切断刃はカバーに対して適切に固定され、トイレットペーパを常に綺麗なＶ字状に切断できるようになる。
【００２２】
さらに、ホルダ本体又はカバーの一方に長孔を他方にピンを備え、トイレットペーパロールの外径の減少に合わせてピンが長孔内を移動することにより、カバーの位置が前方から後方へ移動するようにしたので、トイレットペーパロールの外径の大きさに関わらず、トイレットペーパを常に綺麗に切断できるようになる。
【図面の簡単な説明】
【００２３】
【図１】この発明の一実施形態を示す側面断面図
【図２】同実施形態の斜視図
【図３】図２の分解斜視図
【図４】同実施形態の平面図
【図５】他の実施形態を示す分解斜視図
【図６】さらに他の実施形態の側面断面図
【図７】図６の実施形態の斜視図
【図８】図６の実施形態の分解斜視図
【発明を実施するための形態】
【００２４】
この発明の実施形態を、以下、図面に基づいて説明する。この実施形態は、トイレットペーパロールＲを保持するために、トイレ内の壁面等に固定されるトイレットペーパホルダ１、及び、そのトイレットペーパホルダ１に取り付けられるトイレットペーパ用切断装置２である。
【００２５】
トイレットペーパ用切断装置２は、トイレットペーパホルダ１に保持されたトイレットペーパロールＲから前方へ引き出される帯状の紙の先端を、その幅方向中央部が幅方向端部よりも手前に突出するようＶ字状に切断するようになっている。
トイレットペーパの切れ目が常にＶ字状となれば、トイレットペーパの切断部の美観の向上に寄与するとともに、次に利用する人が、トイレットペーパの端部を見つけやすくなるという利点がある。
【００２６】
トイレットペーパホルダ１は、図１及び図２に示すように、トイレットペーパロールＲを回転自在に支持するホルダ本体１０と、ホルダ本体１０に取り付けられトイレットペーパロールＲの上部を覆うカバー２０と、カバー２０の前端部に設けられる切断手段３０とを備える。
【００２７】
ホルダ本体１０は、壁面等に固定される基部１１と、その基部１１の幅方向両端から前方へ突出する側部１２，１２を備える。側部１２には、それぞれ支持部１３が設けられている。
【００２８】
支持部１３は、側部１２から幅方向内側に向かって横方向に突出しており、その突出側端部が上方へ向かって可動し、側部１２に対して起伏自在となっている。支持部１３が、トイレットペーパロールＲの軸心にある中空部内に、幅方向両側から入り込むことにより、トイレットペーパロールＲは側部１２，１２間に軸周り回転自在に保持される。なお、支持部１３は、例えば、その突出側端部が前方へ向かって可動する構造としてもよく、起伏方向は自由に設定できる。
【００２９】
カバー２０は、側部１２の基部１１への付け根の部分に、昇降回動手段４０を介して上下方向へ回動自在に取り付けられる。カバー２０は、カバー本体２１とそのカバー本体２１に沿って下方に設けられた保護カバー２２とを備える。
【００３０】
カバー本体２１は、基部１１に近い昇降回動手段４０側から前方へ伸びて、トイレットペーパロールＲの頂部を過ぎた辺りから、そのトイレットペーパロールＲの外面に沿ってやや下方に湾曲する板状部材である。
【００３１】
保護カバー２２も、同じく、基部１１に近い昇降回動手段４０側から前方へ伸びて、トイレットペーパロールＲの頂部を過ぎた辺りから、そのトイレットペーパロールＲの外面に沿ってやや下方に湾曲する板状部材である。カバー本体２１と保護カバー２２とは、後端から前端に至るまでほぼ平行に配置され、両者の間に空間が設けられている。
【００３２】
切断手段３０は、切断刃３２と、その切断刃３２をカバー２０に対して前後方向へスライドさせる際に、使用者が掴む操作部３１を備える。
【００３３】
切断刃３２には、軟質の樹脂を用いた可撓性のある板状又はシート状の部材を採用している。切断刃３２は、その前端に刃先３２ａを有する。刃先３２ａは、トイレットペーパロールＲの幅方向に対して、その中央部が端部よりも前方に突出するＶ字状である。また、切断刃３２の後端は、直線状である（図３参照）。
【００３４】
切断刃３２は、カバー本体２１と保護カバー２２との間の空間に収容されて、その空間内でカバー２０に対して前後方向にスライド自在である。このとき、切断刃３２は、可撓性のある素材であるので、その空間内でのスライドの際に、カバー本体２１と保護カバー２２のカーブに沿って適宜変形し、前後方向に湾曲しながら、その刃先３２ａがカバー２０の前端から前へ突出するようになっている。なお、切断刃３２の素材としては、樹脂以外の他の素材を使ってもよい。また、切断刃３２以外の部材には、例えば、硬質の樹脂を採用することができる。
【００３５】
切断刃３２は、図３に示すように、その幅方向両端に、それぞれ前後方向に伸びる軸状のガイド部材３３を備える。ガイド部材３３は、その前端が切断刃３２の後端寄りの部分の上面に、接着剤等により固定されている。また、ガイド部材３３の前端には、操作部３１を接続するための接続手段として、ピン３３ａが設けられている。
【００３６】
ガイド部材３３が、カバー２０に設けたガイド筒２３内にスライド自在に収容されて、切断刃３２のカバー２０に対する前後方向へのスライドが案内されている。
【００３７】
この実施形態では、ガイド部材３３はその軸直交方向における断面が四角形であり、また、ガイド筒２３の内部空間の断面も、ガイド部材３３の断面形状に対応する四角形となっているが、ガイド部材３３及びガイド筒２３の断面形状は自由であり、例えば、それぞれ断面円形とすることもできる。
【００３８】
また、ガイド筒２３内には、切断刃３２を後方へ付勢する弾性部材３４が設けられている。この実施形態では、弾性部材３４としてコイルバネを採用しており、このコイルバネの後端をカバー２０に、前端をガイド部材３３の後端に接続している。コイルバネの後端の接続箇所を、ホルダ本体１０の基部１１とすることも可能であるが、カバー２０のホルダ本体１０への着脱を容易にするためには、その接続箇所を、カバー本体２１又は保護カバー２２とすることが望ましい。
【００３９】
切断刃３２を前後方向へスライドさせる際に把持可能な操作部３１は、図３に示すように、カバー２０の上方へ突出した状態となっている。
【００４０】
操作部３１は、トイレットペーパロールＲの幅方向に対して、その中央部が端部よりも前方に突出するＶ字状の軸状部材３１ａで構成されている。軸状部材３１ａが、切断刃３２の刃先３２ａと同形状のＶ字状であるので、その美観の向上に寄与している。なお、この操作部３１の形状は、実施形態のＶ字状には限定されず、例えば、両端部間を１本の直線で結ぶ形状であってもよいし、円弧状を成す形状であってもよい。また、操作部３１をグリップしやすくするため、操作部３１の指に触れる箇所に凹凸を設けてもよい。操作部３１に設けた凹部に操作者の指が入り込むことで操作時の滑りがなくなり、切断刃３２のスライド操作が的確になる。
【００４１】
軸状部材３１ａの両端に、接続部３１ｂがそれぞれ設けられている。接続部３１ｂに設けられた孔（図示せず）に、ガイド部材３３の前端に設けられたピン３３ａが嵌合することにより、操作部３１と切断刃３２とは一体にスライドするようになっている。
【００４２】
また、そのスライドの際、軸状部材３１ａの両端の接続部３１ｂは、カバー本体２１に設けられたスライド用孔２４内を前後方向に移動するので、切断刃３２の移動がカバー２０に支障しないようになっている。
【００４３】
このように、カバー２０と切断手段３０とが一体の状態で、ホルダ本体１０に着脱自在であり、これが、トイレットペーパ用切断装置２を構成している。このため、トイレットペーパホルダに備えられた従来形式のカバーを取り外し、このトイレットペーパ用切断装置２を装着することも可能である。
【００４４】
また、トイレットペーパ用切断装置２とホルダ本体１０との取り付けには、前述のように昇降回動手段４０が用いられる。
【００４５】
昇降回動手段４０は、ホルダ本体１０又はカバー２０の一方に長孔（ガイド孔）４３を備え、他方には、その長孔４３内をその長孔４３の伸びる方向に沿って移動自在のピン４１を備える。この実施形態では、長孔４３はホルダ本体１０側に設けられ、ピン４１はカバー２０側に設けられているが、変形例としては、これを逆にして、カバー２０側に長孔４３を設け、ホルダ本体１０側にピン４１を設けた態様も考えられる。
【００４６】
長孔４３は、ホルダ本体１０の側部１２の後端上部に取り付けられた板状の支持部材４２に設けられている。図４に示すように、支持部材４２に取り付けられた固定ピン４５が、側部１２側の孔に嵌って固定されている。なお、固定ピン４５は、その対側に設けた別の固定ピン４６が支持部材４２側の孔に嵌って固定されている。支持部材４２は、ホルダ本体１０に対して動かないように固定される。このとき、長孔４３の向き、すなわち、長孔４３の伸びる方向は、上方から下方に向かうにつれて、徐々に前方から後方へ向かう方向に傾斜している（図１参照）。
【００４７】
この長孔４３内に、ピン（カバー支持ピン）４１が挿通される。ピン４１は、カバー２０の幅方向両端縁で、それぞれ、カバー本体２１と保護カバー２２の間を閉じる側壁に設けられたピン孔４４に嵌められて固定されている。ピン４１は、長孔４３内をその長孔４３の伸びる方向に沿って移動自在である。
【００４８】
この実施形態では、カバー２０の幅方向両端縁において、カバー本体２１と保護カバー２２の間を閉じる側壁は、ガイド筒２３を構成する部材で兼用しているが、ガイド筒２３の部材とは別に側壁を設けてもよい。
【００４９】
このトイレットペーパ用ホルダ１及びトイレットペーパ用切断装置２の作用を、以下説明する。
【００５０】
トイレットペーパを使用する際、トイレットペーパロールＲからトイレットペーパの先端を手前へ引き出すとともに、操作部３１を掴んで、切断刃３２のＶ字状の刃先３２ａを、カバー２０の前端よりも前方へ突出させる。図２は、切断刃３２の刃先３２ａがまだ後退している状態を示しており、この状態から切断刃３２は、さらに前方へと引き出される。切断刃３２が引き出された状態を、図１において鎖線で示している。
【００５１】
このとき、切断刃３２は、カバー本体２１と保護カバー２２との間の空間内でスライドするので、切断刃３２がトイレットペーパロールＲに触れることはない。トイレットペーパロールＲには、保護カバー２２の下面が直接触れることとなるからである。このため、トイレットペーパロールＲを痛めてしまうことを防止できる。
【００５２】
また、切断刃３２の前後方向へのスライドは、幅方向両体にそれぞれ設けたガイド部材３３とガイド筒２３によって案内されるので、切断刃３２は、任意の位置でカバー２０に対して適切に固定される。すなわち、切断刃３２が傾いたり（幅方向一方が他方よりも前方へ変位した状態となったり）、切断刃３２がカバー２０に対してがたついたりする事態を防止できる。このため、トイレットペーパを、常に綺麗なＶ字状に切断できるようになる。
【００５３】
なお、通常は、操作部３１を前方へ引き、切断刃３２が最も前端に突出した状態が維持され、その状態で、トイレットペーパを切断する。切断刃３２が最も前端に突出した状態とは、操作部３１の接続部３１ｂが、スライド用孔２４の前端に至り、それ以上前方への移動が規制された状態である。このように、接続部３１ｂとスライド用孔２４とはストッパ機能を発揮している。ただし、接続部３１ｂがスライド用孔２４の前端に至る前の状態で、操作部３１を手で保持しながら、トイレットペーパを切断刃３２で切断することも可能である。
【００５４】
操作部３１を持つ手を離せば、切断刃３２は、弾性部材３４の弾性力で後方へ引き寄せられ、切断刃３２は、元の状態、すなわち、カバー本体２１と保護カバー２２との間の空間内に収容された状態となる。
【００５５】
トイレットペーパを切断した後、切断刃３２がカバー２０内に後退するので、トイレットペーパの切れ目がカバー２０や切断刃３２によって隠れることがない。このため、次に利用する人が、トイレットペーパの端部を見つけやすい。
【００５６】
また、図１に示すように、トイレットペーパの使用によって、トイレットペーパロールＲの外径が、図中の実線で示す状態から鎖線で示す状態へと減少したとする。
【００５７】
このとき、その外径の変化に合わせて、ピン４１が長孔４３内を移動する。具体的には、ピン４１は、長孔４３の伸びる方向に沿って上方から下方へ向かい、同時に、徐々に後方へ移動する。これにより、カバー２０の位置も、前方から後方へ移動する。このため、カバー２０の前端位置、すなわち、切断刃３２の刃先３２ａの位置も前方から後方へ移動する。
【００５８】
このように、トイレットペーパロールＲの外径の減少に合わせて、カバー２０の位置が前方から後方へ移動するようにしたので、切断刃３２は、トイレットペーパロールＲの外径の大きさに関わらず、常に適切な位置に固定される。切断刃３２の刃先３２ａの位置が、トイレットペーパロールＲの外周から大きく離れないからである。これにより、トイレットペーパを常に綺麗なＶ字状に切断できるようになる。
【００５９】
また、上記の実施形態では、切断刃３２のスライドを案内するためのガイド部材３３とガイド筒２３とを備えた構成において、そのガイド筒２３内に弾性部材３４を備えたが、弾性部材３４の設置位置は、ガイド筒２３内に限定されない。例えば、弾性部材３４であるコイルバネの前端を、切断刃３２の後端に直接接続してもよい。このとき、コイルバネの本数は、切断刃３２の幅方向両端にそれぞれ１本ずつ配置してもよいし、切断刃３２の幅方向中央に１本のみ配置してもよい。また、弾性部材３４の設置そのものを省略し、操作部３１を後方へ押すことにより、切断刃３２を後退させるようにすることもできる。
【００６０】
なお、上記の実施形態では、カバー２０を、カバー本体２１と保護カバー２２との二重構造にして、その間の空間に切断刃３２を収納する構成と、切断刃３２のスライドを案内するために、ガイド部材３３とガイド筒２３とを備えた構成とを併用したが、それぞれの構成はそれ単独であってもそれぞれの効果を発揮することができる。
すなわち、カバー２０を、カバー本体２１と保護カバー２２との二重構造にして、その間の空間に切断刃３２を収納する構成において、切断刃３２のスライドを案内するためのガイド部材３３とガイド筒２３を省略してもよい。逆に、切断刃３２のスライドを案内するためのガイド部材３３とガイド筒２３を備えた構成において、カバー２０をカバー本体２１と保護カバー２２との二重構造にして、その間の空間に切断刃３２を収納する構成を省略してもよい。
【００６１】
また、上記の昇降回動手段４０によるカバー２０の位置調整機能の構成は、この実施形態のように、カバー本体２１と保護カバー２２とによるカバー２０の二重構造の構成と、Ｖ字型の切断刃３２の構成、及び、その切断刃３２のスライドを前後方向に案内するためのガイド部材３３とガイド筒２３との構成と併用することもできるし、あるいは、これらの構成から選択される一つの又は複数の構成との併用としてもよい。
【００６２】
このため、例えば、図５に示すように、Ｖ字型の切断刃３２に代えて直線状の前端を備えた切断刃３２としてもよい。また、切断刃３２のスライドを案内するためのガイド部材３３とガイド筒２３とを省略し、切断刃３２のスライドを前後方向に案内する他のガイド機構を採用してもよい。
【００６３】
また、図６〜図８に示すように、切断刃３２の設置及びカバー２０の保護カバー２２を省略し、カバー２０の前端２０ａでトイレットペーパを切断するようにしてもよい。この図６〜図８に示す実施形態において、カバー２０は、樹脂等からなる一枚の板状部材（カバー本体２１）で構成されている。
【００６４】
前述の実施形態と同様、昇降回動手段４０は、ホルダ本体１０又はカバー２０の一方に長孔（ガイド孔）４３を備え、他方には、その長孔４３内をその長孔４３の伸びる方向に沿って移動自在のピン４１を備える。この実施形態では、長孔４３はホルダ本体１０側に設けられ、ピン４１はカバー２０側に設けられているが、変形例としては、これを逆にして、カバー２０側に長孔４３を設け、ホルダ本体１０側にピン４１を設けた態様も考えられる。
【００６５】
長孔４３は、ホルダ本体１０の側部１２の後端上部に取り付けられた板状の支持部材４２に設けられている。図８に示すように、支持部材４２に取り付けられた固定ピン４５が、側部１２側の孔に嵌って固定されている。なお、固定ピン４５は、その対側に設けた別の固定ピン４６が支持部材４２側の孔に嵌って固定されている。支持部材４２は、ホルダ本体１０に対して動かないように固定される。このとき、長孔４３の向き、すなわち、長孔４３の伸びる方向は、上方から下方に向かうにつれて、徐々に前方から後方へ向かう方向に傾斜している（図６参照）。
【００６６】
この長孔４３内に、ピン（カバー支持ピン）４１が挿通される。ピン４１は、カバー２０の幅方向両端縁で、それぞれ、カバー本体２１に設けられたピン孔４４に嵌められて固定されている。ピン４１は、長孔４３内をその長孔４３の伸びる方向に沿って移動自在である。
【００６７】
また、図６に示すように、トイレットペーパの使用によって、トイレットペーパロールＲの外径が、図中の実線で示す状態から鎖線で示す状態へと減少したとする。
【００６８】
このとき、その外径の変化に合わせて、ピン４１が長孔４３内を移動する。具体的には、ピン４１は、長孔４３の伸びる方向に沿って上方から下方へ向かい、同時に、徐々に後方へ移動する。これにより、カバー２０の前端２０ａの位置も、前方から後方へ移動する。
【００６９】
このように、トイレットペーパロールＲの外径の減少に合わせて、カバー２０の位置が前方から後方へ移動するようにしたので、カバー２０の前端２０ａは、トイレットペーパロールＲの外径の大きさに関わらず、常に適切な位置に固定される。これにより、トイレットペーパを常に綺麗に切断できるようになる。
【符号の説明】
【００７０】
１  トイレットペーパホルダ
２  切断装置（トイレットペーパホルダ用切断装置）
１０  ホルダ本体
１１  基部
１２  側部
１３  支持部
２０  カバー
２１  カバー本体
２２  保護カバー
２３  ガイド筒
２４  スライド用孔
３０  切断手段
３１  操作部
３２  切断刃
３３  ガイド部材
３４  弾性部材
４０  昇降回動手段
４１  ピン（カバー支持ピン）
４２  支持部材
４３  長孔（ガイド孔）
４４  ピン孔
４５，４６  固定ピン
Ｒ  トイレットペーパロール
【図１】
2015173805.tif 000003
【図２】
2015173805.tif 000004
【図３】
2015173805.tif 000005
【図４】
2015173805.tif 000006
【図５】
2015173805.tif 000007
【図６】
2015173805.tif 000008
【図７】
2015173805.tif 000009
【図８】
2015173805.tif 000010
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
ロール状に巻回されたトイレットペーパロールを回転自在に支持するホルダ本体と、前記ホルダ本体に取り付けられ前記トイレットペーパロールの上部を覆うカバーと、前記カバーの前端部に設けられた切断刃とを備え、前記切断刃は、前記トイレットペーパロールの幅方向に対して中央部が端部よりも前方に突出するＶ字状の刃先を備え、
前記切断刃は、その幅方向両端にそれぞれ前後方向に伸びる軸状のガイド部材を後方に向かって突出して備え、前記ガイド部材が前記カバーの幅方向両端にそれぞれ設けたガイド筒内にスライド自在に収容されて、前記切断刃は、前記カバーに対して前後方向にスライド自在であり、
前記カバーは、カバー本体とそのカバー本体に沿って下方に設けられた保護カバーとを備え、前記切断刃は、前記カバー本体と前記保護カバーとの間の空間に収容されて、その空間内で前記カバーに対して前後方向にスライド自在であり、前記ガイド筒は、前記カバー本体及び前記保護カバーとの間に備えられ、
前記切断刃を後方へ付勢する弾性部材を、前記ホルダ本体又は前記カバーと、前記切断刃との間に備え、前記弾性部材は前記ガイド筒内の後方側に備えられ、その弾性部材の後端が前記ホルダ本体又は前記カバーに、その弾性部材の前端が前記ガイド部材の後端に接続されて、前記弾性部材が前記カバーに対して前方へ引き出された前記切断刃を後方へ付勢することを特徴とするトイレットペーパホルダ。
【請求項２】
前記切断刃は前端に前記Ｖ字状の刃先を有する板状又はシート状の部材を備え、前記ガイド部材は前記板状又はシート状の部材の幅方向両端において前記板状又はシート状の部材の後端縁よりも後方に向かって突出しており、前記カバー本体の前端縁を、前記ガイド筒の前端よりも前方に配置したことを特徴とする請求項１に記載のトイレットペーパホルダ。
【請求項３】
前記ホルダ本体又は前記カバーの一方に上方から下方に向かうにつれて徐々に後方へ向かう方向へ傾斜した長孔を備え、他方には前記長孔内をその長孔の伸びる方向に沿って移動自在のピンを備え、前記トイレットペーパロールの外径の減少に合わせて前記ピンが前記長孔内を移動することにより、前記カバーの前端縁の位置が前方から後方へ移動することを特徴とする請求項１又は２に記載のトイレットペーパホルダ。
【請求項４】
ロール状に巻回されたトイレットペーパロールを回転自在に支持するホルダ本体と、前記ホルダ本体に取り付けられ前記トイレットペーパロールの上部を覆うカバーを備え、
前記ホルダ本体又は前記カバーの一方に上方から下方に向かうにつれて徐々に後方へ向かう方向へ傾斜した長孔を備え、他方には前記長孔内をその長孔の伸びる方向に沿って移動自在のピンを備え、前記トイレットペーパロールの外径の減少に合わせて前記ピンが前記長孔内を移動することにより、前記カバーの前端縁の位置が前方から後方へ移動することを特徴とするトイレットペーパホルダ。
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
ロール状に巻回されたトイレットペーパロールを回転自在に支持するホルダ本体と、前記ホルダ本体に取り付けられ前記トイレットペーパロールの上部を覆うカバーと、前記カバーの前端部に設けられた切断刃とを備え、前記切断刃は、前記トイレットペーパロールの幅方向に対して中央部が端部よりも前方に突出するＶ字状の刃先を備え、
前記切断刃は、その幅方向両端にそれぞれ前後方向に伸びる軸状のガイド部材を後方に向かって突出して備え、前記ガイド部材が前記カバーの幅方向両端にそれぞれ設けたガイド筒内にスライド自在に収容されて、前記切断刃は、前記カバーに対して前後方向にスライド自在であり、
前記カバーは、カバー本体とそのカバー本体に沿って下方に設けられた保護カバーとを備え、前記切断刃は、前記カバー本体と前記保護カバーとの間の空間に収容されて、その空間内で前記カバーに対して前後方向にスライド自在であり、前記ガイド筒は、前記カバー本体及び前記保護カバーとの間に備えられ、
前記切断刃を後方へ付勢する弾性部材を、前記ホルダ本体又は前記カバーと、前記切断刃との間に備え、前記弾性部材は前記ガイド筒内の後方側に備えられ、その弾性部材の後端が前記ホルダ本体又は前記カバーに、その弾性部材の前端が前記ガイド部材の後端に接続されて、前記弾性部材が前記カバーに対して前方へ引き出された前記切断刃を後方へ付勢することを特徴とするトイレットペーパホルダ。
【請求項２】
前記切断刃は前端に前記Ｖ字状の刃先を有する板状又はシート状の部材を備え、前記ガイド部材は前記板状又はシート状の部材の幅方向両端において前記板状又はシート状の部材の後端縁よりも後方に向かって突出しており、前記カバー本体の前端縁を、前記ガイド筒の前端よりも前方に配置したことを特徴とする請求項１に記載のトイレットペーパホルダ。
【請求項３】
前記ホルダ本体又は前記カバーの一方に上方から下方に向かうにつれて徐々に後方へ向かう方向へ傾斜した長孔を備え、他方には前記長孔内をその長孔の伸びる方向に沿って移動自在のピンを備え、前記トイレットペーパロールの外径の減少に合わせて前記ピンが前記長孔内を移動することにより、前記カバーの前端縁の位置が前方から後方へ移動することを特徴とする請求項１又は２に記載のトイレットペーパホルダ。